(57)【要約】【課題】  複数の画像データが格納された１つの画像ファイルを生成、記録するための画像記録装置及び画像記録方法であって、当該画像ファイルから複数の画像データを読み込む機能を有さない画像処理装置においても利用可能な形式で画像ファイルを記録するとともに、上記画像処理装置において画像ファイルが改変されて画像データが失われてしまうことを回避することができる画像記録装置及び画像記録方法を提供する。【解決手段】  画像ファイル生成部６６は、撮影部１０により撮影された画像データを格納するための拡張画像ファイルＦ１００を生成するとともに、拡張画像ファイルＦ１００に対応する基本ファイルＦ１０を生成する。基本ファイルＦ１０には、標準的な画像ファイルの拡張子が付される。画像ファイル生成部６６は、基本ファイルＦ１０が削除又は改変されていることを検出すると、拡張画像ファイルＦ１００から所要の画像データを抽出して基本ファイルＦ１０を復元する。【選択図】      図１
2008306645.tif 000002
【特許請求の範囲】
【請求項１】
複数の画像データを格納した拡張画像ファイルと、前記拡張画像ファイルに格納された複数の画像データの中から選択された少なくとも１枚の画像データを格納した基本ファイルとを関連付けて記録する画像記録手段と、
前記基本ファイルが削除又は改変されているかどうかを判定する判定手段と、
前記基本ファイルが削除又は改変されていると判定された場合に、前記拡張画像ファイルから前記基本ファイルを復元する基本ファイル復元手段と、
を備えることを特徴とする画像記録装置。
【請求項２】
前記画像記録手段は、標準的な画像ファイルの拡張子を前記基本ファイルに付して記録することを特徴とする請求項１記載の画像記録装置。
【請求項３】
前記画像記録手段は、前記基本ファイルの復元に必要な基本ファイル関連情報を前記拡張画像ファイルに記録し、
前記基本ファイル復元手段は、前記基本ファイル関連情報に従って基本ファイルを復元することを特徴とする請求項１又は２記載の画像記録装置。
【請求項４】
前記画像記録手段は、前記画像データのＲＡＷデータを前記拡張画像ファイルに記録し、
前記基本ファイル復元手段は、前記拡張画像ファイルに格納されたＲＡＷデータのうち、前記基本ファイル関連情報により指定されたＲＡＷデータを、前記基本ファイル関連情報により規定されたエンコード形式にエンコードして前記基本ファイルに格納する画像データを復元することを特徴とする請求項１から３のいずれか１項記載の画像記録装置。
【請求項５】
複数の画像データを格納した拡張画像ファイルと、前記拡張画像ファイルに格納された複数の画像データの中から選択された少なくとも１枚の画像データを格納した基本ファイルとを関連付けて記録する画像記録工程と、
前記基本ファイルが削除又は改変されているかどうかを判定する判定工程と、
前記基本ファイルが削除又は改変されていると判定された場合に、前記拡張画像ファイルから前記基本ファイルを復元する基本ファイル復元工程と、
を備えることを特徴とする画像記録方法。
【請求項６】
前記画像記録工程では、標準的な画像ファイルの拡張子を前記基本ファイルに付して記録することを特徴とする請求項５記載の画像記録方法。
【請求項７】
前記基本ファイルの復元に必要な基本ファイル関連情報を前記拡張画像ファイルに記録する工程と、
前記基本ファイル関連情報に従って基本ファイルを復元する工程と、
を更に備えることを特徴とする請求項５又は６記載の画像記録方法。
【請求項８】
前記画像記録工程では、前記画像データのＲＡＷデータを前記拡張画像ファイルに記録し、
前記基本ファイル復元工程は、前記拡張画像ファイルに格納されたＲＡＷデータのうち、前記基本ファイル関連情報により指定されたＲＡＷデータを、前記基本ファイル関連情報により規定されたエンコード形式にエンコードして前記基本ファイルに格納する画像データを復元する工程を含むことを特徴とする請求項５から７のいずれか１項記載の画像記録方法。
【発明の詳細な説明】
【技術分野】
【０００１】
本発明は画像記録装置及び画像記録方法に係り、特に複数の画像データを１つの画像ファイルに格納して記録する画像記録装置及び画像記録方法に関する。
【背景技術】
【０００２】
特許文献１には、連続した複数枚の静止画を記録する場合に、１回の記録動作で生成する連続静止画圧縮データを、各々独立した静止画圧縮データの結合体とする画像データ記録方法が開示されている。
【０００３】
特許文献２には、複数の視点の画像から画像データを作成する画像データ作成装置において、複数の視点の画像のファイルヘッダと画像情報とを単体で既存形式のファイルとすることが開示されている。
【０００４】
特許文献３には、立体画像データを保存する際に、新規フォルダを作成して立体画像データ、右眼画像データ、左眼画像データを一緒に保存する画像記録装置が開示されている。
【特許文献１】特開平１１−２６６４２０号公報（図４）
【特許文献２】特開２００４−２７４０９１号公報（図９）
【特許文献３】特開２００５−２２９２９１号公報（段落［０１２５］、図７）
【発明の開示】
【発明が解決しようとする課題】
【０００５】
複数の画像データが連結された画像ファイルに対して、従来の標準的な画像ファイルとは異なる特別な拡張子を付与すると、当該拡張子に対応していない画像処理装置及び画像処理用アプリケーションでは画像ファイルとして認識できない。このため、上記のような画像ファイルに対して標準的な画像ファイルの拡張子（当該画像ファイルが含む画像データのエンコード形式に対応する拡張子。例えば、ＪＰＧ）を付すことにより、従来の画像処理装置等においても画像ファイルとして認識できるようにすることが考えられる。これにより、複数の画像データが格納された画像ファイルから、複数の画像データを読み込んで再生処理等を行う機能を有さない画像処理装置においても、当該画像ファイルを標準的な画像ファイルと同様に扱うことにより、当該画像ファイル中の画像データのうちの最初の１枚だけは読み込むことが可能になる。
【０００６】
しかしながら、上記のような画像処理装置において、読み込んだ画像データを編集した後に保存した場合、元の画像ファイルの２枚目以降の画像データが新たに保存される画像ファイルには保存されないという問題があった。従って、上書き保存を行った場合には、元の画像ファイルの２枚目以降の画像データが消去されてしまうという課題があった。
【０００７】
特許文献１及び２は、上記の課題を解決するためのものではなかった。また、特許文献３は、右眼画像データ、左眼画像データを立体画像データと一緒に保存するものであるが、右眼画像データ、左眼画像データのどちらかに編集が加えられた場合、画像データの一方が消去されてしまうという課題を解決するためのものではなかった。
【０００８】
本発明はこのような事情に鑑みてなされたもので、複数の画像データが格納された１つの画像ファイルを生成、記録するための画像記録装置及び画像記録方法であって、当該画像ファイルから複数の画像データを読み込む機能を有さない画像処理装置においても利用可能な形式で画像ファイルを記録するとともに、上記画像処理装置において画像ファイルが改変されて画像データが失われてしまうことを回避することができる画像記録装置及び画像記録方法を提供することを目的とする。
【課題を解決するための手段】
【０００９】
上記課題を解決するために、本願発明１に係る画像記録装置は、複数の画像データを格納した拡張画像ファイルと、前記拡張画像ファイルに格納された複数の画像データの中から選択された少なくとも１枚の画像データを格納した基本ファイルとを関連付けて記録する画像記録手段と、前記基本ファイルが削除又は改変されているかどうかを判定する判定手段と、前記基本ファイルが削除又は改変されていると判定された場合に、前記拡張画像ファイルから前記基本ファイルを復元する基本ファイル復元手段とを備えることを特徴とする。
【００１０】
本願発明１によれば、複数の画像データが連結して格納された拡張画像ファイルから複数の画像データを読み込んで再生、編集する機能を有さない画像処理装置においても読み込み可能な形式の基本ファイルに画像を記録することができる。更に、本願発明１によれば、基本ファイルが削除又は改変された場合に、拡張画像ファイル中の代表画像データを用いて基本ファイルを復元することができるので、常に改変前の代表画像データを他の画像処理装置に提供することができる。
【００１１】
本願発明２は、本願発明１の画像記録装置において、前記画像記録手段が標準的な画像ファイルの拡張子を前記基本ファイルに付して記録することを特徴とする。
【００１２】
本願発明２によれば、基本ファイルの拡張子を標準的な画像ファイルの拡張子（例えば、ＪＰＧ、ＴＩＦＦ、ＢＭＰ、ＧＩＦ、ＰＮＧ）とすることにより、複数の画像データが連結して格納された画像ファイルから複数の画像データを読み込んで再生、編集する機能を有さない画像処理装置においても基本ファイルを読み込み可能となる。
【００１３】
本願発明３は、本願発明１又は２の画像記録装置において、前記画像記録手段が前記基本ファイルの復元に必要な基本ファイル関連情報を前記拡張画像ファイルに記録し、前記基本ファイル復元手段は、前記基本ファイル関連情報に従って基本ファイルを復元することを特徴とする。
【００１４】
本願発明３によれば、拡張画像ファイルに記録された基本ファイル関連情報を用いて、基本ファイルを復元することができる。
【００１５】
本願発明４は、本願発明１から３の画像記録装置において、前記画像記録手段が前記画像データのＲＡＷデータを前記拡張画像ファイルに記録し、前記基本ファイル復元手段は、前記拡張画像ファイルに格納されたＲＡＷデータのうち、前記基本ファイル関連情報により指定されたＲＡＷデータを、前記基本ファイル関連情報により規定されたエンコード形式にエンコードして前記基本ファイルに格納する画像データを復元することを特徴とする。
【００１６】
本願発明４によれば、基本ファイルに格納するための画像データを生成するために必要となるＲＡＷデータを拡張画像ファイルに格納しておくことができる。
【００１７】
本願発明５に係る画像記録方法は、複数の画像データを格納した拡張画像ファイルと、前記拡張画像ファイルに格納された複数の画像データの中から選択された少なくとも１枚の画像データを格納した基本ファイルとを関連付けて記録する画像記録工程と、前記基本ファイルが削除又は改変されているかどうかを判定する判定工程と、前記基本ファイルが削除又は改変されていると判定された場合に、前記拡張画像ファイルから前記基本ファイルを復元する基本ファイル復元工程とを備えることを特徴とする。
【００１８】
本願発明６は、本願発明５の画像記録方法において、前記画像記録工程では、標準的な画像ファイルの拡張子を前記基本ファイルに付して記録することを特徴とする。
【００１９】
本願発明７は、本願発明５又は６の画像記録方法において、前記基本ファイルの復元に必要な基本ファイル関連情報を前記拡張画像ファイルに記録する工程と、前記基本ファイル関連情報に従って基本ファイルを復元する工程とを更に備えることを特徴とする。
【００２０】
本願発明８は、本願発明５から７の画像記録方法において、前記画像記録工程では、前記画像データのＲＡＷデータを前記拡張画像ファイルに記録し、前記基本ファイル復元工程は、前記拡張画像ファイルに格納されたＲＡＷデータのうち、前記基本ファイル関連情報により指定されたＲＡＷデータを、前記基本ファイル関連情報により規定されたエンコード形式にエンコードして前記基本ファイルに格納する画像データを復元する工程を含むことを特徴とする。
【発明の効果】
【００２１】
本発明によれば、複数の画像データが連結して格納された拡張画像ファイルから複数の画像データを読み込んで再生、編集する機能を有さない画像処理装置においても読み込み可能な形式の基本ファイルに画像を記録することができる。更に、本願発明１によれば、基本ファイルが削除又は改変された場合に、拡張画像ファイル中の代表画像データを用いて基本ファイルを復元することができるので、常に改変前の代表画像データを他の画像処理装置に提供することができる。
【発明を実施するための最良の形態】
【００２２】
以下、添付図面に従って本発明に係る画像記録装置及び画像記録方法の好ましい実施の形態について説明する。
【００２３】
［第１の実施形態］
図１は、本発明の第１の実施形態に係る画像記録装置を備えた撮影装置の主要構成を示すブロック図である。図１に示すように、撮影装置１は、複数の撮影部１０−１、１０−２、…、１０−Ｎ（Ｎ≧２）を備えており、同一の被写体を多視点から撮影した視差画像を取得し、所定の形式の記録用画像データとして記録する装置である。
【００２４】
メインＣＰＵ１２（以下、ＣＰＵ１２と記載する）は、操作部１４からの入力に基づき所定の制御プログラムに従って撮影装置１全体の動作を統括制御する制御手段として機能する。電源制御部１６は、バッテリ１８からの電力を制御して、撮影装置１の各部に動作電力を供給する。
【００２５】
ＣＰＵ１２には、バス２０を介してＲＯＭ２２、フラッシュＲＯＭ２４、ＳＤＲＡＭ２６及びＶＲＡＭ２８が接続されている。ＲＯＭ２２には、ＣＰＵ１２が実行する制御プログラム及び制御に必要な各種データ等が格納される。フラッシュＲＯＭ２４には、ユーザ設定情報等の撮影装置１の動作に関する各種設定情報等が格納される。
【００２６】
ＳＤＲＡＭ２６は、ＣＰＵ１２の演算作業用領域及び画像データの一時記憶領域（ワークメモリ）を含んでいる。ＶＲＡＭ２８は、表示用の画像データ専用の一時記憶領域を含んでいる。
【００２７】
モニタ３０は、例えば、カラー液晶パネルを備えた表示装置により構成され、撮影済み画像を表示するための画像表示部として使用されるとともに、各種設定時にＧＵＩとして使用される。また、モニタ３０は、撮影モード時に画角を確認するための電子ファインダとして利用される。
【００２８】
モニタ３０は、３次元画像（３Ｄ画像）の表示が可能となっている。３次元表示を行うための手段としては、例えば、特殊なメガネを使用するアナグリフ方式、カラーアナグリフ方式、偏光フィルタ方式、時分割立体テレビジョン方式のほか、例えば、かまぼこ状のレンズ群を有したいわゆるレンチキュラレンズをモニタ３０の表面に配置するレンチキュラ方式を適用可能である。なお、３次元表示を行うための手段は、上記に列挙したものに限定されるものではない。
【００２９】
表示制御部３２は、撮像素子４８又はメモリカード７０から読み出された画像データを表示用の画像信号（例えば、ＮＴＳＣ信号、ＰＡＬ信号又はＳＣＡＭ信号）に変換してモニタ３０に出力するとともに、所定の文字、図形情報（例えば、オンスクリーン表示用のデータ）をモニタ３０に出力する。また、表示制御部３２は、所定のインターフェイス（例えば、ＵＳＢ、IEEE1394、ＬＡＮ）を介して接続された外部表示装置に画像を出力可能となっている。
【００３０】
操作部１４は、シャッタボタン、電源／モードスイッチ、モードダイヤル、十字ボタン、ズームボタン、ＭＥＮＵ／ＯＫボタン、ＤＩＳＰボタン及びＢＡＣＫボタン等の操作入力手段を含んでいる。
【００３１】
電源／モードスイッチは、撮影装置１の電源のオン／オフの切り替え、及び撮影装置１の動作モード（再生モード及び撮影モード）の切り替え手段として機能する。
【００３２】
モードダイヤルは、撮影装置１の撮影モードを切り替えるための操作手段であり、モードダイヤルの設定位置に応じて、２次元の静止画を撮影する２Ｄ静止画撮影モード、２次元の動画を撮影する２Ｄ動画撮影モード、３次元の静止画を撮影する３Ｄ静止画撮影モード及び３次元の動画を撮影する３Ｄ動画撮影モードの間で撮影モードが切り替えられる。撮影モードが２Ｄ静止画撮影モード又は２Ｄ動画撮影モードに設定されると、２Ｄ／３Ｄモード切替フラグ３４に、２次元画像を撮影するための２Ｄモードであることを表すフラグが設定される。また、撮影モードが３Ｄ静止画撮影モード又は３Ｄ動画撮影モードに設定されると、２Ｄ／３Ｄモード切替フラグ３４に、３次元画像を撮影するための３Ｄモードであることを表すフラグが設定される。ＣＰＵ１２は、２Ｄ／３Ｄモード切替フラグ３４を参照して、２Ｄモードと３Ｄモードのいずれであるかを判別する。
【００３３】
シャッタボタンは、いわゆる「半押し」と「全押し」とからなる２段ストローク式のスイッチで構成されている。静止画撮影モード時には、シャッタボタンが半押しされると、撮影準備処理（即ち、ＡＥ（Automatic Exposure：自動露出）、ＡＦ（Auto Focus：自動焦点合わせ）、ＡＷＢ（Automatic White Balance：自動ホワイトバランス））が行われ、シャッタボタンが全押しされると、画像の撮影・記録処理が行われる。また、動画撮影モード時には、シャッタボタンが全押しされると、動画の撮影が開始され、再度全押しされると、撮影が終了する。設定により、シャッタボタンが全押しされている間、動画の撮影が行われ、全押しが解除されると、撮影を終了するようにすることもできる。なお、静止画撮影用のシャッタボタン及び動画撮影用のシャッタボタンを別々に設けるようにしてもよい。
【００３４】
十字ボタンは、上下左右４方向に押圧操作可能に設けられており、各方向のボタンには、撮影装置１の動作モード等に応じた機能が割り当てられる。例えば、撮影モード時には、左ボタンにマクロ機能のオン／オフを切り替える機能が割り当てられ、右ボタンにフラッシュモードを切り替える機能が割り当てられる。また、撮影モード時には、上ボタンにモニタ３０の明るさを替える機能が割り当てられ、下ボタンにセルフタイマのオン／オフを切り替える機能が割り当てられる。再生モード時には、左ボタンにコマ送りの機能が割り当てられ、右ボタンにコマ戻しの機能が割り当てられる。また、再生モード時には、上ボタンにモニタ３０の明るさを替える機能が割り当てられ、下ボタンに再生中の画像を削除する機能が割り当てられる。また、各種設定時には、モニタ３０に表示されたカーソルを各ボタンの方向に移動させる機能が割り当てられる。
【００３５】
ズームボタンは、撮影部１０−１、１０−２、…、１０−Ｎのズーミング操作を行うための操作手段であり、望遠側へのズームを指示するズームテレボタンと、広角側へのズームを指示するズームワイドボタンとを備えている。
【００３６】
ＭＥＮＵ／ＯＫボタンは、メニュー画面の呼び出し（ＭＥＮＵ機能）に用いられるとともに、選択内容の確定、処理の実行指示等（ＯＫ機能）に用いられ、撮影装置１の設定状態に応じて割り当てられる機能が切り替えられる。メニュー画面では、ＭＥＮＵ／ＯＫボタンは、例えば、露出値、色合い、撮影感度、記録画素数等の画質調整やセルフタイマの設定、測光方式の切り替え、デジタルズームを使用するか否か等、撮影装置１が持つすべての調整項目の設定が行われる。撮影装置１は、このメニュー画面で設定された条件に応じて動作する。
【００３７】
ＤＩＳＰボタンは、モニタ３０の表示内容の切り替え指示等の入力に用いられ、ＢＡＣＫボタンは入力操作のキャンセル等の指示の入力に用いられる。
【００３８】
フラッシュ発光部３６は、例えば、放電管（キセノン管）により構成され、暗い被写体を撮影する場合や逆光時等に必要に応じて発光される。フラッシュ制御部３８は、フラッシュ発光部（放電管）３６を発光させるための電流を供給するためのメインコンデンサを含んでおり、ＣＰＵ１２からのフラッシュ発光指令に従ってメインコンデンサの充電制御、フラッシュ発光部３６の放電（発光）のタイミング及び放電時間の制御等を行う。なお、フラッシュ発光部３６としては、ＬＥＤ等の他の発光手段を用いてもよい。
【００３９】
次に、撮影装置１の撮影機能について説明する。撮影部１０は、撮影レンズ４０（ズームレンズ４２、フォーカスレンズ４４及び絞り４６）、ズームレンズ制御部（Ｚレンズ制御部）４２Ｃ、フォーカスレンズ制御部（Ｆレンズ制御部）４４Ｃ、絞り制御部４６Ｃ、撮像素子４８、タイミングジェネレータ（ＴＧ）５０、アナログ信号処理部５２、Ａ／Ｄ変換器５４、画像入力コントローラ５６及びデジタル信号処理部５８を備えている。なお、図１では、各撮影部１０−１、１０−２、…、１０−Ｎ内の各部にそれぞれ符号１、２、…、Ｎを付して区別しているが、各部の機能は略同様であるため、以下の説明では、符号１、２、…、Ｎを省略して説明する。
【００４０】
ズームレンズ４２は、図示しないズームアクチュエータに駆動されて光軸に沿って前後に移動する。ＣＰＵ１２は、ズームレンズ制御部４２Ｃを介してズームアクチュエータの駆動を制御することにより、ズームレンズ４２の位置を制御してズーミングを行う。
【００４１】
フォーカスレンズ４４は、図示しないフォーカスアクチュエータに駆動されて光軸に沿って前後に移動する。ＣＰＵ１２は、フォーカスレンズ制御部４４Ｃを介してフォーカスアクチュエータの駆動を制御することにより、フォーカスレンズ４４の位置を制御してフォーカシングを行う。
【００４２】
絞り４６は、例えば、アイリス絞りで構成されており、図示しない絞りアクチュエータに駆動されて動作する。ＣＰＵ１２は、絞り制御部４６Ｃを介して絞りアクチュエータの駆動を制御することにより、絞り４６の開口量（絞り値）を制御し、撮像素子４８への入射光量を制御する。
【００４３】
ＣＰＵ１２は、各撮影部の撮影レンズ４０−１、４０−２、…、４０−Ｎを同期させて駆動する。即ち、撮影レンズ４０−１、４０−２、…、４０−Ｎは、常に同じ焦点距離（ズーム倍率）に設定され、常に同じ被写体にピントが合うように焦点調節が行われる。また、常に同じ入射光量（絞り値）となるように絞りが調整される。
【００４４】
撮像素子４８は、例えば、カラーＣＣＤ固体撮像素子により構成されている。撮像素子（ＣＣＤ）４８の受光面には、多数のフォトダイオードが２次元的に配列されており、各フォトダイオードには所定の配列でカラーフィルタが配置されている。撮影レンズ４０によってＣＣＤの受光面上に結像された被写体の光学像は、このフォトダイオードによって入射光量に応じた信号電荷に変換される。各フォトダイオードに蓄積された信号電荷は、ＣＰＵ１２の指令に従ってＴＧ５０から与えられる駆動パルスに基づいて信号電荷に応じた電圧信号（画像信号）として撮像素子４８から順次読み出される。撮像素子４８は、電子シャッタ機能を備えており、フォトダイオードへの電荷蓄積時間を制御することにより、露光時間（シャッタ速度）が制御される。
【００４５】
なお、本実施形態では、撮像素子４８としてＣＣＤを用いているが、ＣＭＯＳセンサ等の他の構成の撮像素子を用いることもできる。
【００４６】
アナログ信号処理部５２は、撮像素子４８から出力された画像信号に含まれるリセットノイズ（低周波）を除去するための相関２重サンプリング回路（ＣＤＳ）、画像信号を増幅して一定レベルの大きさにコントロールするためのＡＧＳ回路を含み、撮像素子４８から出力される画像信号を相関２重サンプリング処理するとともに増幅する。
【００４７】
Ａ／Ｄ変換器５４は、アナログ信号処理部５２から出力されたアナログの画像信号をデジタルの画像信号に変換する。
【００４８】
画像入力コントローラ５６は、Ａ／Ｄ変換器５４から出力された画像信号を取り込んで、ＳＤＲＡＭ２６に格納する。
【００４９】
デジタル信号処理部５８は、同時化回路（単板ＣＣＤのカラーフィルタ配列に伴う色信号の空間的なズレを補間して色信号を同時式に変換する処理回路）、ホワイトバランス調整回路、階調変換処理回路（例えば、ガンマ補正回路）、輪郭補正回路、輝度・色差信号生成回路等を含む画像処理手段として機能し、ＳＤＲＡＭ２６に格納されたＲ、Ｇ、Ｂの画像信号に対して所定の信号処理を行う。即ち、Ｒ、Ｇ、Ｂの画像信号は、デジタル信号処理部５８において輝度信号（Ｙ信号）及び色差信号（Ｃｒ、Ｃｂ信号）からなるＹＵＶ信号に変換されるとともに、階調変換処理（例えば、ガンマ補正）等の所定の処理が施される。デジタル信号処理部５８により処理された画像データはＶＲＡＭ２８に格納される。
【００５０】
撮影画像をモニタ３０に出力する場合、ＶＲＡＭ２８から画像データが読み出され、バス２０を介して表示制御部３２に送られる。表示制御部３２は、入力された画像データを表示用の所定方式のビデオ信号に変換してモニタ３０に出力する。
【００５１】
ＡＦ検出部６０は、画像入力コントローラ５６−１、５６−２、…、５６−Ｎのいずれか１つから取り込まれたＲ、Ｇ、Ｂの各色の画像信号を取り込み、ＡＦ制御に必要な焦点評価値を算出する。ＡＦ検出部６０は、Ｇ信号の高周波成分のみを通過させるハイパスフィルタ、絶対値化処理部、画面に設定された所定のフォーカスエリア内の信号を切り出すフォーカスエリア抽出部、及びフォーカスエリア内の絶対値データを積算する積算部を含み、この積算部で積算されたフォーカスエリア内の絶対値データを焦点評価値としてＣＰＵ１２に出力する。
【００５２】
ＣＰＵ１２は、ＡＦ制御時にはＡＦ検出部６０から出力される焦点評価値が極大となる位置をサーチし、その位置にフォーカスレンズ４４を移動させることにより、主要被写体への焦点合わせを行う。即ち、ＣＰＵ１２は、ＡＦ制御時には、まず、フォーカスレンズ４４を至近から無限遠まで移動させ、その移動過程でＡＦ検出部６０から焦点評価値を逐次取得し、その焦点評価値が極大となる位置を検出する。そして、検出された焦点評価値が極大の位置を合焦位置と判定し、その位置にフォーカスレンズ４４を移動させる。これにより、フォーカスエリアに位置する被写体（主要被写体）にピントが合わせられる。
【００５３】
ＡＥ／ＡＷＢ検出部６２は、画像入力コントローラ５６−１、５６−２、…、５６−Ｎのいずれか１つから取り込まれたＲ、Ｇ、Ｂの各色の画像信号を取り込み、ＡＥ制御及びＡＷＢ制御に必要な積算値を算出する。即ち、ＡＥ／ＡＷＢ検出部６２は、１画面を複数のエリア（例えば、８×８＝６４エリア）に分割し、分割されたエリアごとにＲ、Ｇ、Ｂ信号の積算値を算出する。
【００５４】
ＣＰＵ１２は、ＡＥ制御時にはＡＥ／ＡＷＢ検出部６２において算出されたエリアごとのＲ、Ｇ、Ｂ信号の積算値を取得し、被写体の明るさ（測光値）を求めて、適正な露光量を得るための露出設定を行う。即ち、撮影感度、絞り値、シャッタ速度、ストロボ発光の要否を設定する。
【００５５】
また、ＣＰＵ１２は、ＡＷＢ制御時にＡＥ／ＡＷＢ検出部６２により算出されたエリアごとのＲ、Ｇ、Ｂ信号の積算値をデジタル信号処理部５８に入力する。デジタル信号処理部５８は、ＡＥ／ＡＷＢ検出部６２により算出された積算値に基づいてホワイトバランス調整用のゲイン値を算出する。また、デジタル信号処理部５８は、ＡＥ／ＡＷＢ検出部６２により算出された積算値に基づいて光源種を検出する。
【００５６】
圧縮・伸張処理部６４は、ＣＰＵ１２からの指令に従い、入力された画像データに圧縮処理を施し、所定形式の圧縮画像データを生成する。例えば、静止画に対してはＪＰＥＧ規格に準拠した圧縮処理が施され、動画に対してはＭＰＥＧ２やＭＰＥＧ４、Ｈ．２６４規格に準拠した圧縮処理が施される。また、圧縮・伸張処理部６４は、ＣＰＵ１２からの指令に従い、入力された圧縮画像データに伸張処理を施し、非圧縮の画像データを生成する。
【００５７】
画像ファイル生成部６６は、上記撮影部１０−１、１０−２、…、１０−Ｎにより撮影された画像データを格納するための拡張画像ファイルＦ１００を生成するとともに、拡張画像ファイルＦ１００に対応する基本ファイルＦ１０を生成する。
【００５８】
メディア制御部６８は、ＣＰＵ１２からの指令に従い、メモリカード７０に対するデータの読み／書きを制御する。
【００５９】
外部接続インターフェイス部（外部接続Ｉ／Ｆ）７２は、外部の画像処理装置（例えば、パーソナルコンピュータ、携帯情報端末、画像ストレージ装置、サーバ）との間でデータの送受信を行うための装置である。外部の画像処理装置との間の通信の方式は、例えば、ＵＳＢ、IEEE1394、ＬＡＮ、赤外線通信（IrDA）等を適用することができる。
【００６０】
［記録用画像データ］
次に、本発明の第１の実施形態に係る記録用画像データの構成について説明する。図２は、基本ファイルＦ１０のデータ構造を模式的に示す図であり、図３は、拡張画像ファイルＦ１００のデータ構造を模式的に示す図である。また、図４は、メモリカード７０に基本ファイル及び拡張画像ファイルを格納する際のフォルダのツリー構造を模式的に示す図である。
【００６１】
図４に示すように、基本ファイルＦ１０と拡張画像ファイルＦ１００は、メモリカード７０内の同一のフォルダに格納される。拡張画像ファイルＦ１００の拡張子はＦ３Ｄである。基本ファイルＦ１０の拡張子は、標準的な画像ファイルの拡張子（基本ファイルＦ１０に格納される画像データのエンコード形式に対応する拡張子）である。このため、基本ファイルＦ１０は、複数の画像データが格納された画像ファイルから、複数の画像データを読み込んで再生処理等を行う機能を有さない画像処理装置においても、標準的なＪＰＥＧ形式の画像ファイルとして認識することができ、再生及び編集が可能である。
【００６２】
なお、本実施形態では、基本ファイルＦ１０内の画像データはＪＰＥＧ形式であるが、他の形式（例えば、ＴＩＦＦ形式、ビットマップ（ＢＭＰ）形式、ＧＩＦ形式、ＰＮＧ形式）であってもよい。
【００６３】
基本ファイルＦ１０と拡張画像ファイルＦ１００のファイル名は同じになっている。基本ファイルＦ１０及び拡張画像ファイルＦ１００のファイル名は、ＤＣＦ（Design rule for Camera File system）に従って決定される。
【００６４】
図３に示すように、本実施形態に係る拡張画像ファイルＦ１００は、タグ情報格納領域Ａ１００、画像データ格納領域Ａ１０２を含んでいる。なお、図中のＳＯＩ（Start of Image）及びＥＯＩ（End of Image）は、それぞれデータの先頭及び終了を示すマーカである。
【００６５】
画像データ格納領域Ａ１０２には、上記撮影部１０−１、１０−２、…、１０−Ｎにより撮影された画像をＪＰＥＧ形式に圧縮して得られた圧縮画像データ（以下の説明では、各々画像データＰ（１）、Ｐ（２）、…、Ｐ（Ｎ）という）が格納される。
【００６６】
タグ情報格納領域Ａ１００には、基本ファイル関連情報Ｄ１０が格納される。図５は、基本ファイル関連情報Ｄ１０を示す図である。図５に示すように、基本ファイル関連情報Ｄ１０には、代表画像Ｐ（ｄ）の視点番号（図５に示す例では、ｄ＝３）、基本ファイルＦ１０の画像データ格納領域Ａ１４に格納される各視点の画像データのエンコード形式及び格納順序情報（画像記録順）が格納されている。
【００６７】
また、タグ情報格納領域Ａ１００には、拡張画像ファイルＦ１００の３Ｄタグ情報が格納される。ここで、３Ｄタグ情報とは、画像データ格納領域Ａ１０４に格納された多視点の画像データの中から２つ以上を組み合わせて立体視用の表示を行うために使用される情報であり、例えば、立体視用の表示を行うときに使用する画像データの数を示す視点数、立体視用の表示を行うときに使用する画像データを指定するための情報、拡張画像ファイルＦ１００における各画像データの格納場所（読み出し開始位置）を特定するポインタ情報を含んでいる。
【００６８】
また、タグ情報格納領域Ａ１００には、対応する基本ファイルＦ１０を特定するための情報が格納されており、拡張画像ファイルＦ１００の再生時に基本ファイルＦ１０を参照（表示）可能となっている。
【００６９】
図２に示すように、本実施形態に係る基本ファイルＦ１０は、タグ情報格納領域Ａ１０、代表画像データ格納領域Ａ１２及び画像データ格納領域Ａ１４を含んでいる。なお、図中のＳＯＩ（Start of Image）及びＥＯＩ（End of Image）は、それぞれデータの先頭及び終了を示すマーカである。
【００７０】
画像データ格納領域Ａ１４には、拡張画像ファイルＦ１００の画像データ格納領域Ａ１０２と同様に、画像データＰ（１）、Ｐ（２）、…、Ｐ（Ｎ）が格納される。
【００７１】
代表画像データ格納領域Ａ１２には、画像データＰ（１）、Ｐ（２）、…、Ｐ（Ｎ）の中から選択された代表画像データＰ（ｄ）が格納される。画像ファイル生成部６６は、例えば、視点位置が中間又は中間近傍の画像（即ち、視差画像の撮影時に多視点の中間近傍に配置された撮影部１０−ｄにより撮影された画像）を代表画像データＰ（ｄ）として選択する。即ち、代表画像データＰ（ｄ）は、視点数Ｎが奇数の場合には中間視点の画像、視点数Ｎが偶数の場合には中間近傍の画像となる。例えば、視点数Ｎ＝５の場合には、代表画像データは、撮影部１０−３により撮影された画像データＰ（３）となり、視点数Ｎ＝８の場合には、代表画像データは、撮影部１０−４又は１０−５により撮影された画像データＰ（４）又はＰ（５）となる。また、拡張画像ファイルＦ１００の画像データ格納領域Ａ１０４の中間近傍に位置する画像データが代表画像データＰ（ｄ）として選択されるようにしてもよい。なお、代表画像データの選択方法は、上記に限定されるものではなく、例えば、ユーザの利き目に対応した画像データを代表画像として選択するようにしてもよいし、中間視点又は中間近傍の画像データのうちユーザの利き目側の画像データを代表画像として選択するようにしてもよい。また、あらかじめユーザが設定した所望の撮影部により撮影された画像データを代表画像として指定できるようにしてもよいし、ユーザが代表画像を手動で指定できるようにしてもよい。
【００７２】
タグ情報格納領域（APP1 Area）Ａ１０には、図２に示すように、Exif識別情報、TIFFヘッダ、IFD0領域（IFD0 Area）、IFD1領域が設けられている。IFD0領域にはExif IFD（Exifタグ情報）、GPS IFD（GPSの測定情報）、3D IFD（３Ｄタグ情報）が格納されている。３Ｄタグ情報には拡張画像ファイルＦ１００との関連性に関する情報が格納されており、基本ファイルＦ１０の再生時に拡張画像ファイルＦ１００を参照可能となっている。なお、図２のPointer to Exif IFD、Pointer to GPS IFD、Pointer to 3D IFDは、それぞれExif IFD、GPS IFD、3D IFDのタグ情報格納領域Ａ１０における格納位置を示している。
【００７３】
［記録用画像データの別の実施例］
なお、本実施形態では、設定により、基本ファイルＦ１０に代表画像とともに距離画像を格納することも可能になっている。また、本実施形態では、設定により、基本ファイルＦ１０の画像データ格納領域Ａ１４に格納される画像データと、拡張画像ファイルＦ１００の画像データ格納領域Ａ１０２に格納される画像データとを異なるエンコード形式とすることも可能である。
【００７４】
図６（ａ）は、基本ファイルＦ１０のデータ構造を模式的に示す図であり、図６（ｂ）は、拡張画像ファイルＦ１００のデータ構造を模式的に示す図である。また、図７は、図６の実施例における基本ファイル関連情報Ｄ１０を示す図である。
【００７５】
図６（ａ）に示す基本ファイルＦ１０は、距離画像データ格納領域Ａ１６を含んでいる。画像ファイル生成部６６は、上記撮影部１０−１、１０−２、…、１０−Ｎにより撮影された画像中の所定の画像から撮影装置１から画像中の被写体までの距離情報を示す距離画像データＰＤを作成し、距離画像データ格納領域Ａ１６に格納する。距離画像データＰＤでは、被写体距離情報は、例えば、画素の色の変化（例えば、被写体距離が遠くなるにつれて、赤、橙、黄、黄緑、緑、青、紫のように変化する）、又は色の濃淡（例えば、グレースケール）で表されており、ユーザは被写体距離情報を視認することができるようになっている。なお、被写体距離情報の格納形式は、距離画像データＰＤ以外の形式（例えば、画素ごと又は代表画像データＰ（ｄ）を分割したエリアごとに被写体距離情報の値を格納したデータ形式）であってもよい。また、画像ファイル生成部６６は、図７に示すように、距離画像の作成に使用した画像データの視点番号を基本ファイル関連情報Ｄ１０として拡張画像ファイルＦ１００に記録する。
【００７６】
また、図６（ｂ）に示す例では、画像ファイル生成部６６は、上記撮影部１０−１、１０−２、…、１０−Ｎにより撮影されたＲＡＷ画像データ（各々ＰＲＡＷ（１）、ＰＲＡＷ（２）、…、ＰＲＡＷ（Ｎ））を拡張画像ファイルＦ１００の画像データ格納領域Ａ１０２に格納する。また、画像ファイル生成部６６は、上記撮影部１０−１、１０−２、…、１０−Ｎにより撮影された画像を標準的なエンコード形式（例えば、ＪＰＥＧ形式）に圧縮し（各々画像データＰ（１）、Ｐ（２）、…、Ｐ（Ｎ））、基本ファイルＦ１０の画像データ格納領域Ａ１４に格納する。
【００７７】
なお、基本ファイルＦ１０に格納される距離画像を、拡張画像ファイルＦ１００にも格納しておくようにしてもよい。
【００７８】
また、本実施形態では、基本ファイルＦ１０内の画像データのエンコード形式は同じであるが、互いに異なっていてもよい。
【００７９】
また、基本ファイルＦ１０には、すべての視点の画像データを格納するようにしてもよいし、予め設定した視点の画像データのみを格納するようにしてもよい。また、基本ファイルＦ１０に複数の視点の画像データを格納する場合には、基本ファイルＦ１０を用いて３次元表示を行うようにしてもよい。
【００８０】
［基本ファイルの作成処理］
次に、基本ファイルＦ１０がフォルダから削除又は改変（編集）された場合の処理について説明する。
【００８１】
画像ファイル生成部６６は、所定のタイミング（例えば電源投入時又は拡張画像ファイルＦ１００の参照時、拡張画像ファイルＦ１００の格納フォルダの参照、メモリカード７０が取り付けられた時又はメモリカード７０内の画像ファイルの格納フォルダが更新された時）で、基本ファイルＦ１０がフォルダから削除又は改変されているかどうかを判定する。そして、基本ファイルＦ１０がフォルダから削除又は改変されている場合、画像ファイル生成部６６は、拡張画像ファイルＦ１００から、基本ファイルの復元に必要な画像データを抽出して基本ファイルＦ１０を作成（復元）する。基本ファイルＦ１０が改変されている場合には、改変された基本ファイルは、復元された基本ファイルとは別の画像ファイルとして保存される。
【００８２】
なお、本実施形態では、改変された基本ファイルを特定するための情報を、拡張画像ファイルＦ１００又は復元された基本ファイルに格納して、拡張画像ファイルＦ１００の再生時に、改変された基本ファイルを参照可能としてもよい。また、改変された基本ファイルに、拡張画像ファイルＦ１００又は復元された基本ファイルに格納して、改変された基本ファイルの再生時に、復元された基本ファイル又は拡張画像ファイルＦ１００を参照可能としてもよい。
【００８３】
ここで、基本ファイルＦ１０が当該フォルダ内から削除されている場合には、復元された基本ファイルＦ１０のファイル名（拡張子を除く部分）は、拡張画像ファイルＦ１００と同じになる。一方、基本ファイルＦ１０が改変されている場合には、画像ファイル生成部６６は、下記に示すファイル名変更処理規則（１）又は（２）に従って基本ファイルＦ１０及び拡張画像ファイルＦ１００のファイル名を決定する。
【００８４】
図８は、ファイル名変更処理規則（１）を説明するための図である。図８に示すように、ユーザが改変した基本ファイルのファイル名が「ABCD0001.JPG」で、基本ファイル「ABCD0001.JPG」に対応する拡張画像ファイルのファイル名が「ABCD0001.F3D」の場合、改変された基本ファイルのファイル名がＤＣＦに従って変更される。ここで、画像ファイル生成部６６により復元される基本ファイルのファイル名は、拡張子を除き拡張画像ファイルと同じ「ABCD0001.JPG」となる。
【００８５】
図９は、ファイル名変更処理規則（２）を説明するための図である。図９に示す例では、改変された基本ファイルのファイル名は変更されず、拡張画像ファイルのファイル名がＤＣＦに従って変更され、基本ファイルが復元される。ここで、復元された基本ファイルのファイル名は、拡張子を除き拡張画像ファイルと同じである。
【００８６】
なお、上記の（１）及び（２）以外のファイル名変更処理規則を用いてもよい。
【００８７】
次に、基本ファイルＦ１０の改変の有無を判定する方法について説明する。画像ファイル生成部６６は、画像を撮影、記録する時に、基本ファイルＦ１０又は代表画像データＰ（ｄ）のデータサイズ又はハッシュ値、又は基本ファイルＦ１０のタイムスタンプ情報を、拡張画像ファイルＦ１００のヘッダ情報として記録する。そして、画像ファイル生成部６６は、上記基本ファイルＦ１０又は代表画像データＰ（ｄ）のファイルサイズ又はハッシュ値、又は基本ファイルＦ１０のタイムスタンプ情報を基本ファイルＦ１０から取得して拡張画像ファイルＦ１００のタグ情報と比較し、両者が一致しない場合に基本ファイルＦ１０が改変されていると判定する。
【００８８】
なお、基本ファイルＦ１０の削除又は改変の有無の判定は、例えば、撮影装置１の電源オン時又は動作モードの切り替え時（例えば、撮影モードから再生モードへの切り替え時）に、メモリカード７０のフォルダ内の拡張画像ファイルを自動的にスキャンして、すべての拡張画像ファイルＦ１００に対して基本ファイルＦ１０の削除又は改変の有無を判定するようにしてもよいし、撮影装置１において、拡張画像ファイルＦ１００の再生又はプレビューの操作が行われる都度、当該拡張画像ファイルＦ１００に対して基本ファイルＦ１０の削除又は改変の有無を判定するようにしてもよい。
【００８９】
図１０は、基本ファイルＦ１０の復元処理を示すフローチャートである。まず、拡張画像ファイルＦ１００が選択され（ステップＳ１０）、当該拡張画像ファイルＦ１００に対応する基本ファイルＦ１０が存在するかどうか判定される（ステップＳ１２）。ステップＳ１２において、上記拡張画像ファイルＦ１００に対応する基本ファイルＦ１０が存在する場合には、基本ファイルＦ１０の改変の有無がチェックされる（ステップＳ１４）。そして、基本ファイルＦ１０が改変されていると判定された場合には（ステップＳ１６のＹｅｓ）、上記ファイル名変更規則に従って、改変されている基本ファイルＦ１０のファイル名又は拡張画像ファイルＦ１００のファイル名のいずれか一方が変更されて（ステップＳ１８）、ステップＳ２０に進む。なお、基本ファイルＦ１０が改変されていないと判定された場合には（ステップＳ１６のＮｏ）、処理を終了する。
【００９０】
一方、ステップＳ１２において、上記拡張画像ファイルＦ１００に対応する基本ファイルＦ１０が存在しない（即ち、削除されている）場合には、ステップＳ２０に進む。
【００９１】
次に、拡張画像ファイルＦ１００から基本ファイル関連情報Ｄ１０（図５及び図７参照）が読み込まれる（ステップＳ２０）。そして、改変又は削除された基本ファイルＦ１０に距離画像が含まれていたかどうか、即ち、基本ファイルＦ１０の距離画像が必要かどうか判定される（ステップＳ２２）。ステップＳ２２において、距離画像が必要と判定された場合、必要な距離画像が拡張画像ファイルＦ１００に含まれているかどうか判定される（ステップＳ２４）。必要な距離画像が拡張画像ファイルＦ１００に含まれていない場合には（ステップＳ２４のＮｏ）、拡張画像ファイルＦ１００の基本ファイル関連情報Ｄ１０から、距離画像の作成に使用した画像データの視点番号が読み込まれて、この視点番号に対応する画像データから距離画像が生成される（ステップＳ２６）。一方、必要な距離画像が拡張画像ファイルＦ１００に含まれている場合には（ステップＳ２４のＹｅｓ）、この距離画像を用いて基本ファイルＦ１０の復元処理が行われる。
【００９２】
次に、拡張画像ファイルＦ１００内の基本ファイル関連情報Ｄ１０から、基本ファイルＦ１０の画像データ格納領域Ａ１４に格納される各視点の画像データのエンコード形式が読み込まれて、基本ファイルＦ１０に格納する画像データのエンコード形式が拡張画像ファイルＦ１００と同一かどうか判定される（ステップＳ２８）。ステップＳ２８において、基本ファイルＦ１０に格納する画像データのエンコード形式が拡張画像ファイルＦ１００と異なる場合には、拡張画像ファイルＦ１００内の画像データが、基本ファイル関連情報Ｄ１０に記録されたエンコード形式に変換されて、基本ファイルＦ１０用の画像データが生成される（ステップＳ３０）。そして、ステップＳ３０において生成された基本ファイルＦ１０用の画像データを用いて基本ファイルＦ１０が生成される（ステップＳ３２）。
【００９３】
一方、ステップＳ２８において、基本ファイルＦ１０に格納する画像データのエンコード形式が拡張画像ファイルＦ１００と同一の場合には、拡張画像ファイルＦ１００内の画像データが読み出されて、基本ファイルＦ１０が生成される（ステップＳ３２）。
【００９４】
なお、ステップＳ３２では、必要に応じて、距離画像データが基本ファイルＦ１０に格納される。
【００９５】
本実施形態によれば、複数の画像データが連結して格納された拡張画像ファイルＦ１００から複数の画像データを読み込んで再生、編集する機能を有さない画像処理装置においても読み込み可能な形式の基本ファイルＦ１０に画像を記録することができる。更に、本実施形態によれば、例えば、拡張画像ファイルＦ１００が格納されているフォルダ内から基本ファイルＦ１０が削除又は改変されて上書き保存された場合や、撮影装置１とは別の画像処理装置において、メモリカード７０内の拡張画像ファイルＦ１００が格納されているフォルダ内から基本ファイルＦ１０が削除又は改変されて上書き保存された後、撮影装置１に戻された場合に、基本ファイルＦ１０を復元することができるので、常に改変前の代表画像データを他の画像処理装置に提供することができる。
【００９６】
なお、本実施形態では、拡張画像ファイルＦ１００と基本ファイルＦ１０とを同一のメモリカードに記録するようにしたが、例えば、複数の記録媒体を有する画像記録装置では、拡張画像ファイルＦ１００と基本ファイルＦ１０とを別々の記録媒体に記録するようにしてもよい。また、拡張画像ファイルＦ１００と基本ファイルＦ１０の少なくとも一方を、外部接続Ｉ／Ｆ７２又は通信回線を介して、外部の画像処理装置に送信して記録するようにしてもよい。
【００９７】
［第２の実施形態］
次に、本発明の第２の実施形態について説明する。図１１は、本発明の第２の実施形態に係る画像記録装置の主要構成を示すブロック図である。本実施形態では、画像記録装置１００は、例えば、パーソナルコンピュータ（ＰＣ）によって構成されており、撮影装置又はメモリカード７０からの記録用画像データの読み込み、記録用画像データの保存、編集等を行うための装置である。図１１に示すように、中央処理装置（ＣＰＵ）１０２は、バス１０４を介して画像記録装置１００内の各ブロックに接続されており、各ブロックの動作を制御する。主メモリ１０６は、制御プログラムが格納される記憶領域や、プログラム実行時の作業領域を含んでいる。ハードディスク装置１０８には、画像記録装置１００のオペレーティングシステム（ＯＳ）や、各種のアプリケーションソフト、撮影装置１又はメモリカード７０から読み込まれた記録用画像データ（基本ファイルＦ１０及び拡張画像ファイルＦ１００）等が格納される。ＣＤ−ＲＯＭ装置１１０は、図示せぬＣＤ−ＲＯＭからのデータの読み込みを行う。カードインターフェース部（カードＩ／Ｆ）１１２は、メモリカード７０から画像データを読み取る。表示メモリ１１６は、表示用データを一時記憶する。モニタ１１８は、例えば、ＣＲＴ（Cathode Ray Tube）モニタや液晶モニタにより構成され、この表示メモリ１１６から出力される画像データ、文字データ等に基づいて画像や文字等を表示する。キーボード１２０及びマウス１２２は、操作者からの操作入力を受け付けて、操作入力に応じた信号をＣＰＵ１０２に入力する。なお、ポインティングデバイスとしては、マウス１２２のほか、タッチパネルやタッチパッド等を用いることができる。マウスコントローラ１２４は、マウス１２２の状態を検出してモニタ１１８上のマウスポインタの位置や、マウス１２２の状態等の信号をＣＰＵ１０２に出力する。オーディオ入出力回路１２６には、マイク１２８及びスピーカ１３０が接続され、各種の音声信号が入力されるとともに、キーボード１２０等からの操作入力に応じて各種動作音が再生出力される。通信インターフェイス部（通信Ｉ／Ｆ）１３２は、ネットワークＮＷとの通信を行う。カメラ接続インターフェイス部（カメラ接続Ｉ／Ｆ）１３４は、撮影装置（電子カメラ、デジタルカメラ）１との間でデータの送受信を行う。
【００９８】
本実施形態では、ＣＰＵ１０２は、例えば、電源投入時又は拡張画像ファイルＦ１００の参照時、拡張画像ファイルＦ１００の格納フォルダの参照、メモリカード７０が取り付けられた時、ハードディスク装置１０８内の画像ファイルの格納フォルダが更新された時等に上記図１０に示した処理を実行する。これにより、本実施形態に係る画像記録装置１００においても、基本ファイルＦ１０を復元することができるので、常に改変前の代表画像データを他の画像処理装置に提供することができる。
【００９９】
なお、上記の各実施形態では、例えば、メモリカード７０又はハードディスク装置１０８等の画像記録手段の空き容量が少ない時に、当該画像記録手段へのデータの格納指示が入力された場合に、基本ファイルＦ１０を削除して空き容量を増加させ、その後、画像記録手段の空き容量が増加した場合に、基本ファイルＦ１０を自動的に復元するようにしてもよい。
【０１００】
また、本発明は、例えば、撮影装置やパーソナルコンピュータ、携帯情報端末、画像ストレージ装置のような画像記録装置に適用するプログラムとしても提供することが可能である。
【図面の簡単な説明】
【０１０１】
【図１】本発明の第１の実施形態に係る画像記録装置を備えた撮影装置の主要構成を示すブロック図
【図２】基本ファイルＦ１０のデータ構造を模式的に示す図
【図３】拡張画像ファイルＦ１００のデータ構造を模式的に示す図
【図４】メモリカード７０に基本ファイル及び拡張画像ファイルを格納する際のフォルダのツリー構造を模式的に示す図
【図５】基本ファイル関連情報Ｄ１０を示す図
【図６】図６（ａ）…基本ファイルＦ１０のデータ構造を模式的に示す図、図６（ｂ）…拡張画像ファイルＦ１００のデータ構造を模式的に示す図
【図７】図６の実施例における基本ファイル関連情報Ｄ１０を示す図である。
【図８】ファイル名変更処理規則（１）を説明するための図
【図９】ファイル名変更処理規則（２）を説明するための図
【図１０】基本ファイルＦ１０の復元処理を示すフローチャート
【図１１】本発明の第２の実施形態に係る画像記録装置の主要構成を示すブロック図
【符号の説明】
【０１０２】
１…撮影装置、１０…撮影部、１２…メインＣＰＵ、１４…操作部、１６…電源制御部、１８…バッテリ、２０…バス、２２…ＲＯＭ、２４…フラッシュＲＯＭ、２６…ＳＤＲＡＭ、２８…ＶＲＡＭ、３０…モニタ、３２…表示制御部、３４…２Ｄ／３Ｄモード切替フラグ、３６…フラッシュ発光部、３８…フラッシュ制御部、４０…撮影レンズ、４２…ズームレンズ、４４…フォーカスレンズ、４６…絞り、４２Ｃ…ズームレンズ制御部（Ｚレンズ制御部）、４４Ｃ…フォーカスレンズ制御部（Ｆレンズ制御部）、４６Ｃ…絞り制御部、４８…撮像素子、５０…タイミングジェネレータ（ＴＧ）、５２…アナログ信号処理部、５４…Ａ／Ｄ変換器、５６…画像入力コントローラ、５８…デジタル信号処理部、６０…ＡＦ検出部、６２…ＡＥ／ＡＷＢ検出部、６４…圧縮・伸張処理部、６６…画像ファイル生成部、６８…メディア制御部、７０…メモリカード、７２…外部接続インターフェイス部（外部接続Ｉ／Ｆ）
【図１】
2008306645.tif 000003
【図２】
2008306645.tif 000004
【図３】
2008306645.tif 000005
【図４】
2008306645.tif 000006
【図５】
2008306645.tif 000007
【図６】
2008306645.tif 000008
【図７】
2008306645.tif 000009
【図８】
2008306645.tif 000010
【図９】
2008306645.tif 000011
【図１０】
2008306645.tif 000012
【図１１】
2008306645.tif 000013